(57)【要約】【課題】高精度なレンズのコマ収差測定を容易に実行可能とさせる。また、高精度なレンズを備える光ピックアップ装置を提供する。【解決手段】レンズ光軸に対し略直交する反射輪帯面３０／４０／６０／７０を備えるレンズ１に関する。反射輪帯面３０／４０／６０／７０の傾きが、レンズ全体のもつコマ収差と等価とされた。反射輪帯面３０／４０／６０／７０の傾きを測定することで、レンズ全体のもつコマ収差方向が判別できる。これにより、コマ収差の発生が抑えられた高精度なレンズ１が形成される。前記レンズ１を備える光ピックアップ装置を構成する。これにより、精度の高い光ピックアップ装置を提供できる。【選択図】図１
2007018614.tif 000002
【特許請求の範囲】
【請求項１】
レンズ光軸に対し略直交する反射輪帯面を備え、該反射輪帯面の傾きが、レンズ全体のもつコマ収差と等価とされたことを特徴とするレンズ。
【請求項２】
前記反射輪帯面の前記傾きを測定することで、前記レンズ全体のもつコマ収差方向が判別できることを特徴とする請求項１に記載のレンズ。
【請求項３】
輪帯面からの反射光で前記レンズの傾きを調整したのち、該レンズを透過する光の持つ残留コマ収差を、０〜０．０１６λrms の範囲内に収めたことを特徴とする請求項１又は２に記載のレンズ。
【請求項４】
光を屈折させるレンズ曲面を備え、該レンズ曲面の周りに前記反射輪帯面を設けたことを特徴とする請求項１〜３の何れか１項に記載のレンズ。
【請求項５】
相手側レンズ保持部に取り付けられるレンズ装着部を備え、該レンズ装着部に前記反射輪帯面を設けたことを特徴とする請求項１〜４の何れか１項に記載のレンズ。
【請求項６】
前記反射輪帯面の平坦度が劣化して低い光の反射率とされた反射防止処理領域を形成させたことを特徴とする請求項１〜５の何れか１項に記載のレンズ。
【請求項７】
データが入れられるメディアに対向して位置する対物レンズとして用いたことを特徴とする請求項１〜６の何れか１項に記載のレンズ。
【請求項８】
請求項１〜７の何れか１項に記載のレンズを備えることを特徴とする光ピックアップ装置。
【発明の詳細な説明】
【技術分野】
【０００１】
本発明は、例えば、「ＨＤ  ＤＶＤ」（High Definition DVD ）などのメディアに記録されたデータを再生させるときや、メディアにデータを記録させるとき等に用いられるレンズと、そのようなレンズを備える光ピックアップ装置とに関するものである。
【背景技術】
【０００２】
図５は、従来のレンズの一形態を示す説明図、図６は、正常なスポットを示す説明図、図７は、コマ収差が生じたスポットを示す説明図である。
【０００３】
これまでは、対物レンズ面上の反射輪帯Ａ面１３０をオートコリメータ（図示せず）で見て、対物レンズ１０１（ＯＢＬ：Objective Lens）の姿勢が光ピックアップ装置（図示せず）の軸基準に対して、平行になるようにＯＢＬホルダ（図示せず）の傾きを調整してきた。オートコリメータとは、例えば、定盤や案内面などの対象面に光を当て、真直度、直角度、平行度、平面度などを測定する計器を意味する。
【０００４】
従来のものとして、例えば、光ヘッド装置用対物レンズを対物レンズ駆動機構に取り付ける際の傾角調整作業や、その収差測定時における傾角調整を簡単に行えるように、レンズ形状に工夫を凝らした光ヘッド装置用対物レンズというものがある（例えば、特許文献１参照。）。また、光ヘッド装置用対物レンズの傾角調整方法というものがある（例えば、特許文献１参照。）。
【０００５】
精度よく形成されたＯＢＬを備える光ヘッド装置が用いられて、光記録ディスクにレーザ光が集光された場合、光記録ディスクに集光されて形成されるスポットＳａ（図６）は、略正円状に形成される。
【特許文献１】特開２００３−２９４９１５号公報（第１，２頁、第１図）
【発明の開示】
【発明が解決しようとする課題】
【０００６】
しかしながら、上記従来のレンズ１０１（図５）にあっては、反射輪帯Ａ面１３０の傾きが、必ずしもＯＢＬ１０１の持つコマ収差と等価でない為、反射輪帯Ａ面１３０を使ってＯＢＬ１０１の傾きを調整した場合、結像スポットＳｂには、図７のようなコマ収差が発生する。図５においては、不具合状態のＯＢＬ１０１が分かり易くされるために、便宜上、レンズ曲面１１０，１２０の不具合状態を誇張した状態で示した。
【０００７】
本発明は、上記問題点を解決することにある。本発明は、上記した点に鑑み、高精度なレンズおよびそれを備える光ピックアップ装置を提供することを目的とする。
【課題を解決するための手段】
【０００８】
上記目的を達成するために、本発明の請求項１に係るレンズは、レンズ光軸に対し略直交する反射輪帯面を備え、該反射輪帯面の傾きが、レンズ全体のもつコマ収差と等価とされたことを特徴とする。
【発明の効果】
【０００９】
請求項１に記載の発明によれば、精度の高いレンズを形成することができる。反射輪帯面の傾きが、レンズ全体のもつコマ収差と等価とされていれば、コマ収差の発生が抑えられた高精度なレンズを提供することができる。
【発明を実施するための最良の形態】
【００１０】
以下に本発明に係るレンズおよび光ピックアップ装置の実施の形態を図面に基づいて詳細に説明する。
【００１１】
図１は、本発明に係るレンズの一実施の形態を示す平面図、図２は、図１のＡ−Ａ断面図、図３は、図１のＢ側からレンズを眺めた状態を示す側面図、図４は、レンズを示す説明図である。
【００１２】
レンズ１（図１〜図４）の光軸Ｚ（図２〜図４）は、図１に示すレンズ曲面１０の中央から、図１の紙面に対し、垂直に延長された方向に沿った軸とされる。また、第一レンズ曲面１０が設けられた側をレンズ１の上側とし、第二レンズ曲面２０が設けられた側をレンズ１の下側とする。なお、この明細書における「上」、「下」の定義は、レンズ１を説明するための便宜上のものとされる。
【００１３】
図１，図２，図４の如く、このレンズ１は、レンズ光軸Ｚが通る略湾曲面状のレンズ曲面１０，２０と、レンズ光軸Ｚに対し略直交する略平面状の反射輪帯面３０／４０／６０／７０と、略湾曲面状レンズ曲面１０，２０の外側に設けられた略円環状のレンズ装着部５０とを備えるものとして形成されている。略平面状の反射輪帯面３０／４０／６０／７０の傾きは、レンズ全体のもつコマ収差と等価とされている。
【００１４】
略平面状の反射輪帯面３０／４０／６０／７０の傾きが、レンズ全体のもつコマ収差と等価とされたレンズ１について説明する。そのようなレンズ１は、例えば、第一レンズ曲面１０と、第二レンズ曲面２０と、各レンズ曲面１０，２０の外周に設けられた反射輪帯面３０，４０とが、設計／仕様の通りに精度よく形成されたレンズ１を意味する。また、そのようなレンズ１は、例えば、第一レンズ曲面１０と、第二レンズ曲面２０と、レンズ装着部５０の反射輪帯面６０／７０とが、設計／仕様の通りに精度よく形成されたレンズ１を意味する。
【００１５】
略平面状に形成された反射輪帯面３０／４０／６０／７０の傾きが、レンズ全体のもつコマ収差と等価とされたレンズ１は、精度の高いレンズ１として形成される。上述した如く、収差とは、例えばレンズ１などを通る光線が正しく一点に集められず、不完全な像ができることを意味する。また、コマ収差とは、光軸Ｚから離された物点から斜めに入った光がレンズ１を通して結像されるときに、点とならずに広がって例えば彗星状に見える現象を意味する（図７）。略平面状の反射輪帯面３０／４０／６０／７０（図１，図２，図４）の傾きが、レンズ全体のもつコマ収差と等価とされていれば、コマ収差の発生が抑えられた高精度なレンズ１を、レンズ組立メーカや、光学機器メーカ等に提供することができる。
【００１６】
レンズ１に設けられた略平面状の反射輪帯面３０／４０／６０／７０の傾きは、例えばオートコリメータ（図示せず）を備えたレンズ判別手段（図示せず）などによって測定される。そのときに、レンズ全体のもつコマ収差方向が判別される（図７）。
【００１７】
このようなレンズ計測方法が行われることにより、コマ収差測定は容易に行われる。反射輪帯面３０／４０／６０／７０（図１，図２，図４）の傾きが、オートコリメータを備えたレンズ判別手段などによって測定されることで、レンズ全体のもつコマ収差方向は、容易に判別される。従って、容易にコマ収差測定が行われたレンズ１を、レンズ組立メーカや、光学機器メーカ等に提供することができる。
【００１８】
レンズ１の開口数もしくは開口率が、例えば略０．４５〜０．９５、好ましくは略０．４５〜０．８５、より好ましくは略０．４５〜０．６７とされたときに、反射輪帯面３０
からの反射光でレンズ１の傾きを調整したのち、レンズ１を透過する光の持つ残留コマ収差を、略０〜０．０１６λrms の範囲内に収めたレンズ１のみが、光ピックアップ装置に使用可能なレンズ１として選別される（例えば、表１参照。）。
【表１】
2007018614.tif 000003
【００１９】
開口数もしくは開口率とは、光学器械で対物レンズの有効半径（入射ひとみの半径）を物点から見る角の正弦と、入射側の媒質の屈折率との積をいう。開口数／開口率（Numerical Aperture）は、「ＮＡ」と省略される。開口数もしくは開口率は、対物レンズの性能を表すときに用いられる。
【００２０】
例えば、ＣＤ（Compact Disc）系列のディスク（図示せず）に対応するレンズのＮＡは、略０．４５〜０．５１とされている。また、ＤＶＤ（Digital Versatile Disc）系列のディスクに対応するレンズのＮＡは、例えば略０．６〜０．６７好ましくは略０．６〜０．６５とされている。また、Blu-ray Disc系列のディスクに対応するレンズのＮＡは、略０．８５とされている。「Blu-ray 」とは、例えばディスクに高密度記録が可能とされた青紫色のレーザを意味する。また、ＮＡが略０．９５とされた光ピックアップ装置用レンズも発表された。
【００２１】
例えば、ＣＤ系列のディスクや、ＤＶＤ系列のディスクなどのメディアに対し、情報／データの読み書きが可能な光ピックアップ装置（図示せず）に、開口数略０．６の一つのレンズ１が装備されている場合、開口制限付広帯域１／４波長板（図示せず）が光ピックアップ装置内の光路中に装備されることにより、レンズ１は、実質的に開口数略０．４５〜０．６５として機能する。
【００２２】
残留コマ収差が略０〜０．０１６λrms の範囲内に収められたレンズ１のみが、光ピックアップ装置に使用可能なレンズ１として選別されることにより、精度よくコマ収差判別が行われたレンズ１（図１〜図４）を、レンズ組立メーカや、光学機器メーカ等に提供することができる。開口数ＮＡが、例えば略０．４５〜０．９５、好ましくは略０．４５〜０．８５、より好ましくは略０．４５〜０．６７の範囲内のレンズ１が製造されるときに、残留コマ収差が０〜０．０１６λrms の範囲内に収められたレンズ１が形成されていれば、レーザ光がレンズ１を通して焦点を結ぶときに、レーザ光は略点状態となる（図６）。従って、レーザ光がレンズ１を通して焦点を結ぶときに、レーザ光の焦点が点とならずに広がって例えば彗星状となる（図７）ことは回避され、レーザ光の焦点は、精度のよい略点状態として結ばれる（図６）。
【００２３】
例えば、残留コマ収差が略０λrms とされたレンズ１（図１〜図４）が用いられ、このレンズ１にレーザ光が透過されてレーザ光の焦点が結ばれた場合、レーザ光の焦点は、例えば図６の如く、極めて理想的な点状態となる。また、例えば、残留コマ収差が略０．００５λrms とされたレンズ１（図１〜図４）が用いられ、このレンズ１にレーザ光が透過
されてレーザ光の焦点が結ばれた場合、このレーザ光の焦点は、極めて精度の高い焦点となる。また、例えば、残留コマ収差が略０．０１λrms とされたレンズ１が用いられ、このレンズ１にレーザ光が透過されてレーザ光の焦点が結ばれた場合、このレーザ光の焦点は、非常に精度の高い焦点となる。また、残留コマ収差が略０．０１５λrms とされたレンズ１が用いられ、このレンズ１にレーザ光が透過されてレーザ光の焦点が結ばれた場合、このレーザ光の焦点は、精度の高い焦点となる。また、残留コマ収差が略０．０１６λrms とされたレンズ１が用いられ、このレンズ１にレーザ光が透過されてレーザ光の焦点が結ばれた場合、このレーザ光の焦点は、精度の高い焦点となる。
【００２４】
しかしながら、残留コマ収差が略０．０１６λrms を超えるレンズ（１）が用いられた場合、このレンズ（１）にレーザ光が透過されてレーザ光の焦点が結ばれたときに、レーザ光の焦点にコマ収差が発生することが懸念される（図７）。
【００２５】
残留コマ収差が０〜０．０１６λrms の範囲内に収められたレンズ１（図１〜図４）、好ましくは、残留コマ収差が０〜０．０１５λrms の範囲内に収められたレンズ１が用いられていれば、レンズ１にレーザ光が透過されてレーザ光の焦点が結ばれるときに、精度の高い焦点が形成される。レンズ１が射出成形法に基づいて形成されるときの成形精度を考慮すると、例えば、残留コマ収差が０．００５〜０．０１６λrms の範囲内に収められたレンズ１が、実質的に成形可能なレンズ１とされる。さらに、レンズ１が射出成形法に基づいて形成されるときの成形精度と、レンズ１が製造されるときの歩留りとを考慮すると、例えば、残留コマ収差が０．０１〜０．０１６λrms の範囲内に収められたレンズ１が、生産性よく成形可能なレンズ１とされる。
【００２６】
図１，図２，図４の如く、このレンズ１は、光を屈折させる複数の略湾曲面状レンズ曲面１０，２０を備えるものとして形成されている。略湾曲面状のレンズ曲面１０，２０の周りに、略平面状かつ略円環状の第一反射輪帯面３０，４０が設けられている。
【００２７】
レンズ１のコマ収差測定が行われるときに、レンズ１に設けられた略平面状かつ略円環状の第一反射輪帯面３０または４０が用いられることにより、レンズ１のコマ収差測定は容易に行われる。光を屈折させる略湾曲面状レンズ曲面１０，２０の周りに位置する略平面円環状の第一反射輪帯面３０または４０が用いられて、レンズ全体のコマ収差測定が行われる。
【００２８】
図１〜図４の如く、このレンズ１は、レンズ曲面１０，２０および第一反射輪帯面３０，４０の外側に設けられて、レンズホルタ（図示せず）などの相手側レンズ保持部（図示せず）に取り付けられる略円環状のレンズ装着部５０を備えるものとして形成されている。略円環状のレンズ装着部５０に、略平面状かつ略円環状の第二反射輪帯面６０，７０が設けられている。
【００２９】
略円環状のレンズ装着部５０に、略平面状かつ略円環状の第二反射輪帯面６０，７０が設けられていれば、レンズ１のコマ収差の測定は容易に行われる。レンズホルタなどの相手側レンズ保持部に取り付けられるレンズ装着部５０の略平面円環状の第二反射輪帯面６０または７０が用いられて、レンズ全体のコマ収差測定が行われる。
【００３０】
レンズ良否判定は、例えばオートコリメータを備えたレンズ判別手段が用いられ、オートコリメータを備えたレンズ判別手段から発せられる光がレンズ光軸Ｚに合わせられ、レンズ光軸Ｚに合わせられた光がレンズ１の反射輪帯面３０／４０／６０／７０に当てられ、その反射光が、オートコリメータを備えたレンズ判別手段にて測定されることで行われる。
【００３１】
略平面状に形成された上側の第一反射輪帯面３０の平坦度が劣化して、レンズ１の上側の第一反射輪帯面３０に平坦度劣化部３（図１）が形成されている。この平坦度劣化部３は、略楕円状に示された反射防止処理領域２内において、略平面状かつ略円環状に形成された上側の第一反射輪帯面３０上に形成されている。また、略平面状に形成された上側の第二反射輪帯面６０の平坦度が劣化して、レンズ１の上側の第二反射輪帯面６０に平坦度劣化部６（図１）が形成されている。この平坦度劣化部６は、略楕円状に示された反射防止処理領域２内において、略平面状かつ略円環状に形成された上側の第二反射輪帯面６０上に形成されている。レンズ１に形成された平坦度劣化部３，６が低い光の反射率とされた反射防止処理領域２が、レンズ１に形成されている。
【００３２】
このような平坦度劣化部３，６がレンズ１の反射防止処理領域２内に形成されていれば、例えばオートコリメータを備えたレンズ判別手段が用いられてレンズ良否判定が行われるときに、レンズ判別手段によるレンズ良否判定は、精度よく確実に行われる。レンズ１の上側における反射輪帯面３０，６０の平坦度が劣化して、光の反射率が低い平坦度劣化部３，６が形成されて、各平坦度劣化部３，６を含む反射防止処理領域２がレンズ１に形成されていれば、オートコリメータを備えたレンズ判別手段から発せられた光が、レンズ１の反射防止処理領域２内の平坦度劣化部３または６に当てられても、この光は殆ど反射されない。従って、例えばオートコリメータを備えたレンズ判別手段に、レンズ１の反射防止処理領域２の平坦度劣化部３または６から反射された光が入射され、オートコリメータを備えたレンズ判別手段が、使用可能なレンズ１をコマ収差が発生する不良品と判定することは回避される。これにより、レンズ製造過程におけるレンズ１のコマ収差判別が確実に行われると共に、レンズ製造工程におけるレンズ１の歩留りが向上する。
【００３３】
レンズ１の反射防止処理領域２は、ＣＣＤ撮像素子（図示せず）や、オートコリメータ（図示せず）等を備えたレンズ判別手段（図示せず）によるレンズ良否判定が行われるときに、レンズ判別手段にコマ収差が発生することを抑制させるために、レンズ１に設けられている。
【００３４】
ＣＣＤ系撮像素子や、オートコリメータ等を備えたレンズ判別手段が用いられることにより、レンズ良否判定は確実に行われる。ＣＣＤ（Charge Coupled Device ）とは、光情報を電気信号に変換させる半導体素子を意味する。また、上述した如く、オートコリメータとは、例えば、定盤や案内面などの対象面に光を当て、真直度、直角度、平行度、平面度などを測定する計器を意味する。
【００３５】
レンズ１が射出成形されるときに、射出ゲート跡部８０の近くに成形時の歪が発生し、射出ゲート跡部８０近傍の光学的な平坦度が劣化する。レンズ１の射出ゲート跡部８０の近傍に、反射防止処理領域２が位置する。
【００３６】
レンズ１の反射防止処理領域２内の平坦度劣化部３，６は、光の反射を抑える粗面部３，６として形成されている。この粗面部３，６は、例えば、「しぼ」仕上げが行われて、梨子地状に形成されている。「しぼ」とは、表面に表れた例えば凹凸を意味する。また、「梨子地」とは、例えば梨の果実の肌に似た模様を意味する。
【００３７】
レンズ１の反射防止処理領域２内の平坦度劣化部３，６が、光の反射を抑える粗面部３，６として形成されることにより、例えばオートコリメータを備えたレンズ判別手段が用いられてレンズ良否判定が行われるときに、レンズ判別手段によるレンズ良否判定は確実に行われる。レンズ１の反射防止処理領域２内の平坦度劣化部３，６は、光の反射を抑える粗面部３，６として形成されているので、レンズ良否判定が行われるときに、例えば、レンズ１の反射防止処理領域２内の平坦度劣化部３または６から反射した光が、オートコリメータを備えたレンズ判別手段に入射し、その結果、オートコリメータを備えたレンズ
判別手段が、使用可能なレンズ１をコマ収差が発生する不良品と判定することは回避される。従って、オートコリメータを備えたレンズ判別手段によるコマ収差判定は、精度よく確実に行われる。
【００３８】
また、レンズ１の反射防止処理領域２に反射防止被膜が形成されることなく、レンズ１に反射防止コーティング処理が行われる。
【００３９】
反射防止被膜が形成されていない部分における反射輪帯面３０，６０の光反射率Ｒは、例えば、約４％とされている。また、レンズ１の反射防止処理領域２内の平坦度劣化部３，６における光の反射率は、反射防止被膜が形成されていない部分における反射輪帯面３０，６０の光反射率Ｒ（例：約４％）の約０〜１０％（例）とされる。具体的には、レンズ１の反射防止処理領域２内の平坦度劣化部３，６における光の反射率は、例えば、０〜０．１％とされる。
【００４０】
レンズ１の反射防止処理領域２内の平坦度劣化部３，６における光の反射率が０〜０．１％とされていれば、例えばオートコリメータを備えたレンズ判別手段が用いられてレンズ良否判定が行われるときに、レンズ判別手段によるレンズ良否判定は確実に行われる。レンズ１の反射防止処理領域２内の平坦度劣化部３，６における光の反射率は、０〜０．１％という低い反射率とされているので、レンズ良否判定が行われるときに、レンズ１の反射防止処理領域２内の平坦度劣化部３または６から反射した多くの光が、オートコリメータを備えたレンズ判別手段に入射され、その結果、オートコリメータを備えたレンズ判別手段が、使用可能なレンズ１をコマ収差が発生する不良品と判定することは回避される。
【００４１】
レンズ１の反射防止処理領域２内の平坦度劣化部３，６における光の反射率が０％とされていれば、光の反射が無くされる。従って、オートコリメータを備えたレンズ判別手段に、レンズ１の反射防止処理領域２内の平坦度劣化部３または６から反射した光が入射されるということがない。また、レンズ１の反射防止処理領域２内の平坦度劣化部３，６における光の反射率が、例えば略０．０５％とされていれば、光の反射が僅かなため、オートコリメータを備えたレンズ判別手段に、レンズ１の反射防止処理領域２内の平坦度劣化部３または６から反射した光が多量に入射されるということは回避される。また、レンズ１の反射防止処理領域２内の平坦度劣化部３，６における光の反射率が０．１％とされていれば、光の反射が少ないので、オートコリメータを備えたレンズ判別手段に、レンズ１の反射防止処理領域２内の平坦度劣化部３または６から反射した光が大量に入射されるということは回避される。
【００４２】
レンズ１の反射防止処理領域２内の平坦度劣化部３，６における光の反射率が０．１％を超える場合、オートコリメータを備えたレンズ判別手段に、レンズ１の反射防止処理領域２内の平坦度劣化部３または６から反射した光が一定量を超えて入射されることが懸念される。この場合、レンズ１の反射防止処理領域２内の平坦度劣化部３または６から反射した光の影響により、オートコリメータを備えたレンズ判別手段が、使用可能なレンズ１をコマ収差が発生する不良品と判定することが懸念される。しかしながら、レンズ１の反射防止処理領域２内の平坦度劣化部３，６における光の反射率が、０〜０．１％の低い反射率に設定されることにより、レンズ判別手段による判定誤りは回避される。従って、レンズ判別手段によるコマ収差判定は、精度よく確実に行われる。
【００４３】
レンズ１の反射防止処理領域２は、射出成形法によってレンズ１の成形が行われたときに形成される射出ゲート跡部８０の近傍に設けられている。レンズ１の射出ゲート跡部８０は、例えば略円環状レンズ装着部５０の外周部５５から略円環状レンズ装着部５０の外側に向けて突出した状態で残されている。
【００４４】
反射防止処理領域２がレンズ１の射出ゲート跡部８０の近傍に設けられることにより、レンズ判別時のコマ収差の発生は抑制される。射出成形法による成形が行われてレンズ１が形成されるときに、射出ゲート跡部８０の近傍に「ヒケ」が生じることがある。上述した如く、「ヒケ」とは、例えば、成形品表面に生じる陥没現象を意味する。また、射出成形法とは、例えば加熱された材料を金型の空隙に注入し、これを冷却固化させて成形品を形成する方法を意味する。
【００４５】
光の反射率が低い平坦度劣化部３，６を含んだ反射防止処理領域２が、レンズ１の射出ゲート跡部８０の近傍に設けられていれば、例えば、オートコリメータを備えたレンズ判別手段が用いられてレンズ良否判定が行われるときに、オートコリメータを備えたレンズ判別手段から光が発せられて、「ヒケ」が生じた部分に光が当てられると共に、この光が反射してオートコリメータを備えたレンズ判別手段に入射し、その結果、オートコリメータを備えたレンズ判別手段が、使用可能なレンズ１をコマ収差が発生する不良品と判定することは回避される。従って、オートコリメータを備えたレンズ判別手段によるレンズ１のコマ収差判定は、確実に行われる。
【００４６】
図１〜図４に示すレンズ１は、各種データが入れられるメディア（図示せず）に対向して位置する対物レンズ１として用いられる。メディアは、各種データの読み書きが可能なものとされている。上述した如く、対物レンズ（Objective Lens）は、「ＯＢＬ」と略称される。ＯＢＬ１の第一レンズ曲面１０が、データの読み書きが行われるメディアに対向する面とされる。図２，図４の如く、ＯＢＬ１の第一レンズ曲面１０と、ＯＢＬ１の第二レンズ曲面２０とが比較されたときに、第二レンズ曲面２０よりも、第一レンズ曲面１０のほうが、緩やかな平曲面状に形成されている。
【００４７】
メディアとして、例えば光ディスク（図示せず）などが挙げられる。光ディスクとして、例えば、「ＣＤ−ＲＯＭ」，「ＤＶＤ−ＲＯＭ」などのデータ読出し専用の光ディスクや、「ＣＤ−Ｒ」，「ＤＶＤ−Ｒ」，「ＤＶＤ＋Ｒ」などのデータ追記型の光ディスクや、「ＣＤ−ＲＷ」，「ＤＶＤ−ＲＷ」，「ＤＶＤ＋ＲＷ」，「ＤＶＤ−ＲＡＭ」，「ＨＤ
ＤＶＤ」，「Blu-ray Disc」などのデータ書込み／消去やデータ書換え可能なタイプの光ディスクなどが挙げられる。
【００４８】
また、光ディスクとして、例えばディスク両面に信号面が設けられ、データ書込み／消去やデータ書換えが可能とされた光ディスク（図示せず）等も挙げられる。また、ディスクとして、例えば二層の信号面が設けられ、データ書込み／消去やデータ書換えが可能とされた光ディスク（図示せず）等も挙げられる。また、例えば三層の信号面が設けられ、データ書込み／消去やデータ書換えが可能とされた「ＨＤ  ＤＶＤ」用光ディスク（図示せず）等も挙げられる。また、例えば四層の信号面が設けられ、データ書込み／消去やデータ書換えが可能とされた「Blu-ray Disc」用光ディスク（図示せず）等も挙げられる。
【００４９】
「ＣＤ−ＲＯＭ」もしくは「ＤＶＤ−ＲＯＭ」の「ＲＯＭ」は、「Read Only Memory」の略称である。「ＣＤ−ＲＯＭ」もしくは「ＤＶＤ−ＲＯＭ」は、データ／情報読出し専用のものである。また、「ＣＤ−Ｒ」または「ＤＶＤ−Ｒ」もしくは「ＤＶＤ＋Ｒ」の「Ｒ」は、「Recordable」の略称である。「ＣＤ−Ｒ」または「ＤＶＤ−Ｒ」もしくは「ＤＶＤ＋Ｒ」は、データ／情報の書込みが可能なものである。また、「ＣＤ−ＲＷ」または「ＤＶＤ−ＲＷ」もしくは「ＤＶＤ＋ＲＷ」の「ＲＷ」は、「ReWritable」の略称である。「ＣＤ−ＲＷ」または「ＤＶＤ−ＲＷ」もしくは「ＤＶＤ＋ＲＷ」は、データ／情報の書換えが可能なものである。また、「ＤＶＤ−ＲＡＭ」は、「Digital Versatile Disc Random Access Memory 」の略称である。「ＤＶＤ−ＲＡＭ」は、データ／情報の読み書き／消去が可能なものである。
【００５０】
また、「ＨＤ  ＤＶＤ」は、「High Definition DVD 」の略称である。「ＨＤ  ＤＶＤ」は、従来のＤＶＤ系列のものと互換性をもたせ、且つ、従来のＤＶＤ系列のディスクよりも記憶容量の大きいものである。従来のＣＤには、赤色／近赤外レーザが用いられていた。また、従来のＤＶＤには、赤色レーザが用いられていた。しかしながら、「ＨＤ  ＤＶＤ」の光ディスク２００に記録されたデータ／情報が読み出されるときには、青紫色レーザが用いられる。また、「Blu-ray 」とは、従来の信号の読み書きに用いられていた赤色のレーザに対し、高密度記録が実現されるために採用された青紫色のレーザを意味する。
【００５１】
前記各種光ディスクに対応可能とされると共に、確実にコマ収差判別が行われた高精度なＯＢＬ１（図１〜図４）が、レンズ組立メーカや、光学機器メーカ等に提供される。光ディスクに対向して位置するＯＢＬ１には、高精度のものが要求される。この要求に対応したＯＢＬ１の市場提供が可能となる。
【００５２】
レンズ光軸Ｚに対し略直交する少なくとも一面以上の略平面状反射輪帯面３０／４０／６０／７０の傾きが、レンズ全体のもつコマ収差と等価とされ、このようなＯＢＬ１が形成されていれば、例えば、オートコリメータを備えたレンズ判別手段によるレンズ良否判定は確実に行われる。従って、コマ収差判別が行われた高精度なＯＢＬ１を、レンズ組立メーカや、光学機器メーカ等に提供することができる。
【００５３】
ＯＢＬ１の反射防止処理領域２は、ＯＢＬ１において、データの読み書きが行われるメディアに対向する面側に設けられている。即ち、ＯＢＬ１の反射防止処理領域２は、ＯＢＬ１において、データの読み書きが行われるメディアに対向する上側の第一レンズ曲面１０側に設けられている。なお、レンズ１の設計／仕様などにより、例えばＯＢＬ（１）の下側の第二レンズ曲面（２０）側に、光の反射率が低い平坦度劣化部（３，６）を含んだ反射防止処理領域２が設けられたものも使用可能とされる。
【００５４】
レーザ光が透過可能とされたレンズ１の具体的な良否判定方法について説明する。
【００５５】
レンズ１の開口数をＮＡと定め、残留コマ収差をＣＡ（λrms ）と定め、係数をＣと定め、係数Ｃが０．０３３４〜０．０３３６の範囲内の数値とされたときに、例えば下記（１）式に基づいて、レンズ良否判定が行われる。
ＣＡ≦Ｃ×（ＮＡ）２  ・・・（１）式
【００５６】
（１）式の如く、残留コマ収差ＣＡは、レンズの開口数ＮＡの二乗に比例する。例えば、係数Ｃが、０．０３３４もしくは０．０３３５と定められることにより、表１の如く、レンズの開口数ＮＡと、残留コマ収差ＣＡとの関係が導き出される。
【００５７】
（１）式が用いられることにより、レンズ１のコマ収差判別は、精度よく確実に行われる。（１）式に基づいて残留コマ収差を数値化させ、数値化された残留コマ収差に基づいてレンズ良否判定が行われるので、曖昧なレンズ良否判定が行われるということは回避される。従って、コマ収差判別が精度よく確実に行われたレンズ１を、レンズ組立メーカや、光学機器メーカ等に提供することができる。
【００５８】
このように、レンズ１のコマ収差判別は、上記（１）式に基づいて精度よく確実に行われる。（１）式が用いられることにより、レンズ１の残留コマ収差ＣＡは、数値化される。（１）式に基づいて算出された残留コマ収差ＣＡの値に基づき、レンズ１のコマ収差判別は、精度よく確実に行われることとなる。
【００５９】
上記レンズ１は、光ピックアップ装置（図示せず）に装備される。上記ＯＢＬ１は、光ピックアップ装置のレンズホルダ（図示せず）に装着される。レンズホルダに装着されたＯＢＬ１が、ＯＢＬ１付ハウジングなどの各種部品を収容可能なハウジング（図示せず）に装備されることで、ＯＢＬ１を備える不図示の光ピックアップ装置が構成される。
【００６０】
これにより、精度の高い光ピックアップ装置が構成される。光ピックアップ装置に装備されるレンズ１は、コマ収差判別が行われたレンズ１とされているので、光ピックアップ装置が作動しているときに、レンズ１の焦点にコマ収差が発生して光ピックアップ装置に誤作動が生じるということは回避される。従って、光ディスクなどのメディアに対してレーザ光が焦点を結び、メディアに対するデータの読み書きが行われるときに、レンズ１のコマ収差の発生が抑制された光ピックアップ装置を、ディスク装置の組立メーカや、光学機器メーカ等に提供することができる。
【００６１】
この光ピックアップ装置は、例えば、「ＣＤ−ＲＯＭ」，「ＤＶＤ−ＲＯＭ」などの読出し専用の光ディスクや、「ＣＤ−Ｒ」，「ＤＶＤ−Ｒ」，「ＤＶＤ＋Ｒ」などの追記型の光ディスクや、「ＣＤ−ＲＷ」，「ＤＶＤ−ＲＷ」，「ＤＶＤ＋ＲＷ」，「ＤＶＤ−ＲＡＭ」，「ＨＤ−ＤＶＤ」，「Blu ray Disc」などの書込み／消去や書換え可能なタイプの光ディスクに対応したものとされる。
【００６２】
また、前記光ピックアップ装置（図１）を備える不図示の光ディスク装置は、例えば、各種パーソナルコンピュータ（ Personal Computer：ＰＣ）などのコンピュータや、ＣＤプレーヤなどの音響機器や、ＤＶＤプレーヤなどの音響／映像機器などに装備可能とされる（何れも図示せず）。コンピュータとして、例えば、ノート型ＰＣや、ラップトップ型ＰＣや、デスクトップ型ＰＣなどが挙げられる。
【００６３】
デスクトップコンピュータは、卓上型のコンピュータとされ、机の上で使用可能なコンピュータとされているが、容易に持運びができないタイプのものである。デスクトップ型のＰＣに対し、ノート型もしくはラップトップ型のＰＣは、軽量化、軽薄化が要求されることから、スリム型ドライブが装備されたディスク装置を備える構造のものである。ノート型もしくはラップトップ型のＰＣは、デスクトップ型のＰＣと異なる構造のものである。ノート型もしくはラップトップ型のＰＣは、ディスプレイと、ＰＣ本体とが、一体構造のものとされ、ＰＣ本体に対し、ディスプレイが折りたたまれることで、薄型サイズのものとなる。ノート型のＰＣは、このものが平面視されたときに略Ａ４判もしくはこれ以下の大きさの汎用ＰＣとされ、ブック型ＰＣとも呼ばれている。ノート型もしくはラップトップ型のＰＣは、コンパクトなものとされて容易に持運びができるということが重要である。
【００６４】
上記光ピックアップ装置を備える不図示の光ディスク装置は、例えば、デスクトップ型ＰＣの光ディスク装置に装備可能とされる。また、上記光ピックアップ装置を備える不図示の光ディスク装置は、例えば、ノート型ＰＣもしくはラップトップ型ＰＣ等の持運びが容易な薄型コンピュータの光ディスク装置に装備可能とされる。上記光ピックアップ装置は、ノート型ＰＣの光ディスク装置に装備可能とされる。
【００６５】
本発明のレンズは、図示されたものに限定されるものではない。また、本発明の光ピックアップ装置は、上記したものに限定されるものではない。例えば、図１〜図４に示す凸レンズ１に代えて、凹レンズ（図示せず）が用いられたものも使用可能とされる。また、図１〜図４に示す凸レンズ１に代えて、不図示の凹レンズに反射防止処理領域が設けられたものも使用可能とされる。本発明のものは、その要旨を逸脱しない範囲において、種々変更可能とされる。
【図面の簡単な説明】
【００６６】
【図１】本発明に係るレンズの一実施の形態を示す平面図である。
【図２】図１のＡ−Ａ断面図である。
【図３】図１のＢ側からレンズを眺めた状態を示す側面図である。
【図４】レンズを示す説明図である。
【図５】従来のレンズの一形態を示す説明図である。
【図６】正常なスポットを示す説明図である。
【図７】コマ収差が生じたスポットを示す説明図である。
【符号の説明】
【００６７】
１          ＯＢＬ（レンズ）
２          反射防止処理領域
３，６      粗面部（平坦度劣化部）
１０，２０  レンズ曲面
１１，２１  光透過面（表面部）
３０，４０  第一反射輪帯面（反射輪帯面）
５０        レンズ装着部
５５        外周部
６０，７０  第二反射輪帯面（反射輪帯面）
８０        射出ゲート跡部（ゲート跡部）
Ｚ          レンズ光軸（光軸）
【図１】
2007018614.tif 000004
【図２】
2007018614.tif 000005
【図３】
2007018614.tif 000006
【図４】
2007018614.tif 000007
【図５】
2007018614.tif 000008
【図６】
2007018614.tif 000009
【図７】
2007018614.tif 000010